(57)【要約】【課題】非常に簡単な機構で、マイナスイオンを容易に発生させ、効率良く被掃除面に拡散させることにより、集塵性能を向上させた電気掃除機を提供することを目的とする。【解決手段】塵埃を吸引する開口部２４と、前記開口部２４に臨んで設けられた清掃体２９と、前記清掃体２９を駆動させる駆動源２７とを備え、前記清掃体２９を前記駆動源２７にて被掃除面上で駆動させたときに、前記清掃体２９が被掃除面と摩擦し合うことで、マイナスイオンを発生するもので、被掃除面と清掃体とが直接接触していることから、被掃除面の塵埃にマイナスイオンを効率良く吸着させることができ、さらに清掃体の掻き上げ力で被掃除面の塵埃を効率的に集塵できる。【選択図】  図２
2004154215.tif 000002
【特許請求の範囲】
【請求項１】
塵埃を吸引する開口部と、前記開口部に臨んで設けられた清掃体と、前記清掃体を駆動させる駆動源とを備え、前記清掃体を前記駆動源にて被掃除面上で駆動させたときに、前記清掃体が被掃除面と摩擦し合うことで、マイナスイオンを発生する電気掃除機用吸込具。
【請求項２】
吸引風により駆動源が駆動する請求項１記載の電気掃除機用吸込具。
【請求項３】
駆動源が電動機である請求項１記載の電気掃除機用吸込具。
【請求項４】
清掃体の駆動軸の軸中心は、被掃除面に対して略垂直方向に設けられてなる請求項１〜３のいずれか１項に記載の電気掃除機用吸込具。
【請求項５】
清掃体は、塩化ビニルやテフロン（登録商標）などの帯電順位がもっとも負側に位置する材料にて形成されてなる請求項１〜４のいずれか１項に記載の電気掃除機用吸込具。
【請求項６】
塵埃を吸引する開口部と、前記開口部に臨んで設けられた清掃体と、前記清掃体の周囲に形成され前記清掃体との帯電順位が異なるように設けた接触部とを備え、前記清掃体の駆動軸の軸中心は、被掃除面に対して略垂直方向に設けられてなるとともに、前記清掃体を被掃除面上で駆動させたときに、前記清掃体と前記接触部とが接触し摩擦することでマイナスイオンを発生する電気掃除機用吸込具。
【請求項７】
清掃体の駆動力に応じて、前記清掃体と前記接触部との接触代が変化する請求項６記載の電気掃除機用吸込具。
【請求項８】
塵埃を吸引する開口部と、前記開口部に臨んで設けられた清掃体と、前記清掃体の周囲に形成され前記清掃体との帯電順位が異なるように設けた接触部とを備え、前記清掃体は、被掃除面に対して略垂直方向に移動するとともに、前記清掃体を被掃除面上で駆動させたときに、前記清掃体と前記接触部とが接触し摩擦することでマイナスイオンを発生する電気掃除機用吸込具。
【請求項９】
回転ブラシを有する吸込室内に、前記回転ブラシのブラシ材質と帯電順位が異なる材料で構成した発生体を設け、回転ブラシと発生体との摩擦力で発生体が帯電し、イオンを発生する電気掃除機用吸込具に、請求項１〜８のいずれか１項に記載の電気掃除機用吸込具が着脱自在な電気掃除機用吸込具。
【請求項１０】
吸引風を発する電動送風機を内蔵した掃除機本体を備え、前記電動送風機と請求項１〜９のいずれか１項に記載の電気掃除機用吸込具が連通してなる電気掃除機。
【発明の詳細な説明】
【０００１】
【発明の属する技術分野】
本発明は、イオンを発生させて集塵性能の向上を図った電気掃除機用吸込具およびそれを用いた電気掃除機に関するものである。
【０００２】
【従来の技術】
従来の電気掃除機用吸込具のマイナスイオン発生部としては、床ノズルの吸込部の内部に、正または負のイオンを発生するイオン発生部を備え、前記イオン発生部からのイオンを掃除部位に向かい発生する構成となっていた（例えば、特許文献１参照。）。
【０００３】
【特許文献１】
特開平５−２５３１４８号公報
【０００４】
【発明が解決しようとする課題】
しかしながら上記従来の構成では、被掃除面とマイナスイオン発生部が離れているため、被掃除面上の塵埃にマイナスイオンが吸着される前にマイナスイオンが減衰してしまったり、あるいは掃除機本体の吸引力によって生成したマイナスイオンの一部が掃除機内部に吸引されたりしてしまい、効率良くマイナスイオンを被掃除面の塵埃に吸着させることができないという課題を有していた。
【０００５】
本発明は、上記課題を解決し、非常に簡単な機構で、マイナスイオンを容易に発生させ、効率良く被掃除面に拡散させることにより、集塵性能を向上させた電気掃除機用吸込具およびそれを用いた電気掃除機を提供することを目的とする。
【０００６】
【課題を解決するための手段】
上記の従来の課題を解決するために本発明は、塵埃を吸引する開口部と、前記開口部に臨んで設けられた清掃体と、前記清掃体を駆動させる駆動源とを備え、前記清掃体を前記駆動源にて被掃除面上で駆動させたときに、前記清掃体が被掃除面と摩擦し合うことで、マイナスイオンを発生するもので、被掃除面と清掃体とが直接接触していることから、被掃除面の塵埃にマイナスイオンを効率良く吸着させることができ、さらに清掃体の掻き上げ力で被掃除面の塵埃を効率的に集塵できる。
【０００７】
【発明の実施の形態】
本発明の請求項１記載の発明は、塵埃を吸引する開口部と、前記開口部に臨んで設けられた清掃体と、前記清掃体を駆動させる駆動源とを備え、前記清掃体を前記駆動源にて被掃除面上で駆動させたときに、前記清掃体が被掃除面と摩擦し合うことで、マイナスイオンを発生するもので、被掃除面と清掃体とが直接接触していることから、被掃除面の塵埃にマイナスイオンを効率良く吸着させることができ、さらに清掃体の掻き上げ力で被掃除面の塵埃を効率的に集塵できる。
【０００８】
本発明の請求項２記載の発明は、吸引風により駆動源が駆動するもので、低コストかつ構造も単純化するため、小型、軽量、故障率の低減により使い勝手を向上できる。
【０００９】
本発明の請求項３記載の発明は、駆動源が電動機であるもので、駆動部を電気的駆動装置とすることで、駆動部に高い負荷が掛かっても駆動することができ、より安定したマイナスイオンの発生を行うことができる。
【００１０】
本発明の請求項４記載の発明は、清掃体の駆動軸の軸中心は、被掃除面に対して略垂直方向に設けられてなるもので、被掃除面に対して清掃体が水平に回転するので、ポリッシャーのように被掃除面を磨くことで被掃除面の塵埃や表面を効率的に集塵しながら磨くことができる。
【００１１】
本発明の請求項５記載の発明は、清掃体は、塩化ビニルやテフロン（登録商標）などの帯電順位がもっとも負側に位置する材料にて形成されてなるもので、帯電順位がもっとも負側にある材料のためマイナスイオンの発生量が多く、被掃除面の塵埃にマイナスイオンを効率良く吸着させることができ、さらに清掃体の掻き上げ力で被掃除面の塵埃を効率的に集塵できる。
【００１２】
本発明の請求項６記載の発明は、塵埃を吸引する開口部と、前記開口部に臨んで設けられた清掃体と、前記清掃体の周囲に形成され前記清掃体との帯電順位が異なるように設けた接触部とを備え、前記清掃体の駆動軸の軸中心は、被掃除面に対して略垂直方向に設けられてなるとともに、前記清掃体を被掃除面上で駆動させたときに、前記清掃体と前記接触部とが接触し摩擦することでマイナスイオンを発生するもので、被掃除面に対して清掃体が水平に回転するので、ポリッシャーのように被掃除面を磨くことで被掃除面の塵埃や表面を効率的に集塵しながら磨くことができるとともに、清掃体の掻き上げ力で被掃除面の塵埃を効率的に集塵できる。
【００１３】
本発明の請求項７記載の発明は、清掃体の駆動力に応じて、前記清掃体と前記接触部との接触代が変化するもので、駆動力により清掃体が遠心力で拡散し、接触部との接触量が清掃体の駆動力に応じて変動することで、清掃体が安定して回転駆動して、被掃除面の塵埃にマイナスイオンを効率良く吸着させることができ、さらに清掃体の掻き上げ力で被掃除面の塵埃を効率的に集塵できる。
【００１４】
本発明の請求項８記載の発明は、塵埃を吸引する開口部と、前記開口部に臨んで設けられた清掃体と、前記清掃体の周囲に形成され前記清掃体との帯電順位が異なるように設けた接触部とを備え、前記清掃体は、被掃除面に対して略垂直方向に移動するとともに、前記清掃体を被掃除面上で駆動させたときに、前記清掃体と前記接触部とが接触し摩擦することでマイナスイオンを発生するので、駆動力により清掃体が被掃除面に対して略垂直方向に移動することで、箒のように塵埃をかき集め、また起毛布との接触によりマイナスイオンを塵埃に吸着させて、清掃体および起毛布の掻き上げ力で被掃除面の塵埃を効率的に集塵できる。
【００１５】
本発明の請求項９記載の発明は、回転ブラシを有する吸込室内に、前記回転ブラシのブラシ材質と帯電順位が異なる材料で構成した発生体を設け、回転ブラシと発生体との摩擦力で発生体が帯電し、イオンを発生する電気掃除機用吸込具に、請求項１〜８のいずれか１項に記載の電気掃除機用吸込具が着脱自在なもので、大きな被掃除面を吸込具本体で清掃し、かつ廊下や大きな床上を清掃するのに吸込具本体で発生するマイナスイオンを利用し、テーブルなどの家具上に溜まりやすいホコリなどの微細塵を別吸込具で発生するマイナスイオンで吸着させて、清掃体の掻き上げ力で被掃除面の塵埃を効率的に集塵することで広い掃除範囲を一つの吸込具で使用できるものである。
【００１６】
本発明の請求項１０記載の発明は、電気掃除機本体の吸引力に加え、イオンを利用して集塵力を向上させた電気掃除機用吸込具を備えることで、より効率的に床面の塵埃を集塵できる。
【００１７】
【実施例】
以下、本発明の実施例について図面を用いて説明する。
【００１８】
（実施例１）
図１〜図５においては、本発明の第１の実施例を示すもので、吸込具本体１は、上部材２と下部材３とをバンパー４を介在させて構成しており、下部材３の前方部には塵埃を吸引する下方開口の吸込口５と、吸込口５に臨むように回転可能に軸支された回転ブラシ６が内蔵されている。また、吸込具本体１後部には延長管７と接続される連通管８を回転自在に設けている。掃除機本体９は、内部に吸引した塵埃を集塵する集塵室１０と吸引風を発する電動送風機１１を備えており、この掃除機本体９に設けた接続口１２に、延長管７を接続したホース１３を接続し、吸込具本体１の連通管８を接続口１２まで連通させて構成している。
【００１９】
回転ブラシ６は、吸込具本体１の内部に内蔵された駆動手段１４にて回転駆動し、駆動手段１４には、電動機や回転駆動するタービンなどが使用される。駆動手段１４で発生した駆動力は、回転ブラシ６と駆動手段１４に張架して設けたベルト１５により伝達されて、回転ブラシ６を回転駆動させる。また、回転ブラシ６に複数設けられた塵埃除去体３０と、塵埃除去体３０に接触し、吸込口５の略前方部に設けられた発生体３１と、塵埃除去体３０と発生体３１は帯電順位が正側と負側になる材質にて形成されている。
【００２０】
また、駆動手段１４を電動機を使用して構成した場合には、駆動手段１４を制御する制御基盤１６が設けられる。制御基盤１６には吸込具本体１が空中上に持ち上げられてるか、使用されているかを判定する安全装置部１７も取り付けられている。
【００２１】
連通管８は、吸込具本体１から着脱自在に構成された別吸込具１８に設けられており、連通管８は別吸込具１８の後方部に左右９０°および上下方向に回動自在に構成される。また、連通管８には掃除機本体９からの電源を受け、吸込具本体１や別吸込具１８に電源を供給するコード１９が内蔵されており、別吸込具１８に内蔵された接続端子Ａ２０に接続される。
【００２２】
吸込具本体１には、接続端子Ａ２０からの電源を受ける接続端子Ｂ２１が設けられており、別吸込具１８が着脱する際に、電源の供給のＯＮ、ＯＦＦを行うことができる。また、別吸込具１８を吸込具本体１にセットされた状態から、別吸込具１８を容易に分離することができるペダル２２も構成されている。
【００２３】
別吸込具１８には、吸込具本体１に取り付けられたときに吸込口５と連通する開口２３と、下方開口の開口部２４が設けられており、開口２３には吸込具本体１が分離したときに閉口するシャッター２５が設けられている。開口部２４は、略円形状に設けられており、開口部２４と同心円に設けられた軸２６が下方に突出して形成されている。軸２６に回転自在に着取される駆動源２７には、駆動源２７外周部から取り入れられた空気を内部に流れたときに回転駆動するように構成された複数の羽形状２８が設けられている。また、前記清掃体２９および駆動源２７の駆動軸の軸中心は、被掃除面に対して略垂直方向に設けられている。さらに、駆動源２７の被掃除面側には、帯電順位が最も負側に位置する塩化ビニルやテフロン（登録商標）によって構成された起毛布などの生地からなる清掃体２９が一体に構成されている。
【００２４】
掃除機本体９に吸込具本体１をセットし清掃作業を行うと、供給電源により駆動装置１４が作動して、回転ブラシ６を回転させる。そのとき、ナイロンなどの正側の帯電順位にある材質にて形成される塵埃除去体３０が、負側にある帯電順位にある材質にて形成される発生体３１に接触、回転することでマイナス電荷を放出し、吸込具本体１前方部に設けた発生体３１より被掃除面側に回転ブラシ６の勢いにて被掃除面にマイナス電荷が放出される。これにより、大きな被掃除面を吸込具本体１で清掃し、かつ廊下や大きな床上を清掃するのに吸込具本体１で発生するマイナスイオンを塵埃に効率よく吸着することができる。
【００２５】
また、レバー２２を操作して別吸込具１８を分離させると、シャッター２５により開口２３が閉口され、開口部２４より吸引風が流れる。この吸引風を羽形状２８が受け、駆動源２７が清掃体２９とともに軸２６上を回転する。別吸込具１８には、帯電順位がマイナス側の材質から清掃体２９が設けられている。掃除の際、この清掃体２９と被掃除面が摩擦し、そのとき、清掃体２９は帯電順位が最も負側に位置する塩化ビニルやテフロン（登録商標）によって構成されているため、被掃除面は前記塩化ビニルやテフロン（登録商標）より帯電順位が高いため、前記清掃体２９からマイナス電荷が放出される。このマイナス電荷を放出する清掃体２９が被掃除面と接触することにより、テーブルなどの家具上に溜まりやすいホコリなどの微細塵を別吸込具で発生するマイナスイオンで吸着させて、清掃体の掻き上げ力で被掃除面の塵埃を効率的に集塵することができる。
【００２６】
これによりマイナスイオンを効率的に塵埃に吸着、集塵させながら、かつ広い掃除範囲を一つの吸込具で使用できるものである。なお、本実施例においては、駆動源２７は自身が回転駆動するタービンであるが、電動機により清掃体２９を回転駆動させる構成にしても、上記と同様の効果が得られる。
【００２７】
（実施例２）
本発明の第２の実施例について、図６を用いて説明する。なお、上記実施例と同一構成部分については同一符号を付してその説明を省略する。
【００２８】
塵埃を吸引する開口部２４と、開口部２４に臨んで設けられた清掃体２９と、清掃体２９を被掃除面と垂直になる回転軸中心にて駆動させ、かつ清掃体２９と一体に設けられた駆動源２７と、清掃体２９が駆動する周囲を取り囲み、被掃除面側に拡大するようなテーパー状に設けられた清掃体収納部３２と、清掃体収納部３２内部から吸込具の底面に設けられた清掃体２９と接触する接触部である起毛布３３と、清掃体２９と起毛布３３との帯電順位が異なるように設け、清掃体２９が回転駆動したときに起毛布３３に接触する摩擦にてマイナスイオンを発生するので、駆動力２７により清掃体２９が遠心力で拡散し、前記遠心力の強さに応じて、清掃体２９と接触部である起毛布３３との接触量（接触代）が、清掃体２９の駆動力の強さに応じて変動することで、清掃体２９が安定して回転駆動して、被掃除面の塵埃にマイナスイオンを効率良く吸着させることができ、さらに清掃体の掻き上げ力で被掃除面の塵埃を効率的に集塵できる。
【００２９】
（実施例３）
本発明の第３の実施例について、図７を用いて説明する。なお、上記実施例と同一構成部分については同一符号を付してその説明を省略する。
【００３０】
塵埃を吸引する開口部２４と、開口部２４に臨んで設けられた清掃体２９と、清掃体２９を振動させて駆動させる駆動源２７が構成されている。また、駆動源２７に略半円状の分銅３４を付け、分銅３４が回転駆動することにより振動を発生させ、清掃体２９が被掃除面に対して略垂直方向に移動する。開口部２４周囲に設けられ清掃体２９近傍に設けられた起毛布３３と、清掃体２９と起毛布３３との帯電順位が異なるように設け、清掃体２９が振動駆動したときに起毛布３３に接触する摩擦にてマイナスイオンを発生するので、駆動力２７により清掃体２９が振動することで箒のように塵埃をかき集め、また起毛布３３との接触によりマイナスイオンを塵埃に吸着させて、清掃体および起毛布３３の掻き上げ力で被掃除面の塵埃を効率的に集塵できる。また、簡便な装置にて振動を発生させるので安価で信頼性の高いものにできる。
【００３１】
なお、これらの実施例の別吸込具に構成した構造を、吸込具本体に構成しても同様の効果を得ることができるものである。
【００３２】
【発明の効果】
以上説明したように本発明は、安全且つ非常に簡単な機構で、マイナスイオンが容易に且つ連続的に発生されるので、被掃除面にマイナスイオンが効果的に拡散されることにより、集塵性能を向上させた電気掃除機を提供できる。
【図面の簡単な説明】
【図１】本発明の実施例１の電気掃除機用吸込具の中央断面図
【図２】同吸込具本体から分離した別吸込具の中央断面図
【図３】同吸込具本体の上面図
【図４】同吸込具本体の上部材を外した上面図
【図５】同吸込具本体の全体斜視図
【図６】本発明の実施例２における吸込具本体から分離した別吸込具の中央断面図
【図７】本発明の実施例３における吸込具本体から分離した別吸込具の要部断面図
【符号の説明】
２４  開口部
２７  駆動源
２９  清掃体
【図１】
2004154215.tif 000003
【図２】
2004154215.tif 000004
【図３】
2004154215.tif 000005
【図４】
2004154215.tif 000006
【図５】
2004154215.tif 000007
【図６】
2004154215.tif 000008
【図７】
2004154215.tif 000009